(57)【要約】【課題】無線通信システムにおける複数の送信点から、無線通信システムの移動局へのパケットの再送信を行う方法を開示する。【解決手段】方法は、第１の送信において複数の送信点のうちの第１の送信点から移動装置にパケットを送信する工程と、第１の送信において第１の送信点からパケットを送信した後、第２の送信において複数の送信点のうちの第２の送信点から移動装置にパケットを送信する工程とを含み、第１の送信点及び第２の送信点は別々の送信点である。【選択図】図３
2013027047.tif 000002
【特許請求の範囲】
【請求項１】
無線通信システムの複数の送信点から、前記無線通信システムにおける移動装置へのパケットの再送信を行う方法であって、前記方法は、
前記複数の送信点のうちの第１の送信点から前記移動装置に第１の送信において前記パケットを送信する工程と、
前記第１の送信において前記第１の送信点から前記パケットを送信した後、前記複数の送信点のうちの第２の送信点から前記移動装置に第２の送信において前記パケットを送信する工程とを含み、前記第１の送信点及び前記第２の送信点は別々の送信点である方法。
【請求項２】
請求項１記載の方法であって、前記第１の送信及び前記第２の送信が再送信である方法。
【請求項３】
請求項１記載の方法であって、前記第１の送信が当初の送信である方法。
【請求項４】
請求項１記載の方法であって、
前記複数の送信点のうちの第３の送信点から前記移動装置に前記第１の送信において前記パケットを送信する工程と、
前記複数の送信点のうちの第４の送信点から前記移動装置に前記第２の送信において前記パケットを送信する工程と
更に含む方法。
【請求項５】
請求項１記載の方法であって、前記パケットの第１の冗長度バージョンが前記第１の送信点から前記移動装置に前記第１の送信において送信され、前記パケットの第２の冗長度バージョンが前記第２の送信点から前記移動装置に前記第２の送信において送信される方法。
【請求項６】
請求項５記載の方法であって、
前記複数の送信点のうちの第３の送信点から前記移動装置に前記第１の送信において前記パケットの第３の冗長度バージョンを送信する工程
を更に含む方法。
【請求項７】
請求項５記載の方法であって、前記パケットの前記第１の冗長度バージョンが前記第１の送信点の第１の層から前記移動装置に前記第１の送信において送信され、前記パケットの前記第２の冗長度バージョンが前記第２の送信点の第１の層から前記移動装置に前記第２の送信において送信される方法。
【請求項８】
請求項７記載の方法であって、
前記複数の送信点のうちの第３の送信点の層から前記移動装置に前記第１の送信において前記パケットの前記第１の冗長度バージョンを送信する工程と、
前記複数の送信点のうちの第４の送信点の層から前記移動装置に前記第２の送信において前記パケットの前記第２の冗長度バージョンを送信する工程と
を更に含む方法。
【請求項９】
請求項７記載の方法であって、
前記第１の送信点の第２の層から前記移動装置に前記第１の送信において前記パケットの前記第２の冗長度バージョンを送信する工程と、
前記第２の送信点の第２の層から前記移動装置に前記第２の送信において前記パケットの第３の冗長度バージョンを送信する工程とを更に含む方法。
【請求項１０】
請求項５記載の方法であって、前記第１の冗長度バージョン及び前記第２の冗長度バージョンは同じ冗長度バージョンである方法。
【請求項１１】
請求項１記載の方法であって、前記第１の送信点及び前記第２の送信点は、前記パケットを前記移動装置に送信するために、前記複数の送信点のうちのサービング・ポイントの決定、又は、前記移動装置の決定に応じて求められる方法。
【請求項１２】
請求項１記載の方法であって、前記第１の送信点及び前記第２の送信点は、前記パケットを前記移動装置に送信するために前記複数の送信点間の協調に応じて求められる方法。
【請求項１３】
請求項１記載の方法であって、前記第１の送信点及び前記第２の送信点は、前記パケットを前記移動装置に送信するためにランダムに求められる方法。
【請求項１４】
無線通信システムの移動装置にパケットの再送信を行うための、無線通信システムの複数の送信点であって、前記複数の送信点は、
前記複数の送信点のうちの第１の送信点から前記移動装置に第１の送信において前記パケットを送信する手段と、
前記第１の送信において前記第１の送信点から前記パケットを送信した後、前記複数の送信点のうちの第２の送信点から前記移動装置に第２の送信において前記パケットを送信する手段とを備え、前記第１の送信点及び前記第２の送信点は別々の送信点である送信点。
【請求項１５】
請求項１４記載の送信点であって、前記第１の送信及び前記第２の送信は再送信である送信点。
【請求項１６】
請求項１４記載の送信点であって、前記第１の送信が当初の送信である送信点。
【請求項１７】
請求項１４記載の送信点であって、
前記複数の送信点のうちの第３の送信点から前記移動装置に前記第１の送信において前記パケットを送信する手段と、
前記複数の送信点のうちの第４の送信点から前記移動装置に前記第２の送信において前記パケットを送信する手段と
を備える送信点。
【請求項１８】
請求項１４記載の送信点であって、前記パケットの第１の冗長度バージョンが前記第１の送信点から前記移動装置に前記第１の送信において送信され、前記パケットの第２の冗長度バージョンが前記第２の送信点から前記移動装置に前記第２の送信において送信される送信点。
【請求項１９】
請求項１８記載の送信点であって、
前記複数の送信点のうちの第３の送信点から前記移動装置に前記第１の送信において前記パケットの第３の冗長度バージョンを送信する手段
を更に備える送信点。
【請求項２０】
請求項１８記載の送信点であって、前記パケットの前記第１の冗長度バージョンが前記第１の送信点の第１の層から前記移動装置に前記第１の送信において送信され、前記パケットの前記第２の冗長度バージョンが前記第２の送信点の第１の層から前記移動装置に前記第２の送信において送信される送信点。
【請求項２１】
請求項２０記載の送信点であって、
前記複数の送信点のうちの第３の送信点の層から前記移動装置に前記第１の送信において前記パケットの前記第１の冗長度バージョンを送信する手段と、
前記複数の送信点のうちの第４の送信点の層から前記移動装置に前記第２の送信において前記パケットの前記第２の冗長度バージョンを送信する手段と
を更に含む送信点。
【請求項２２】
請求項２０記載の送信点であって、
前記第１の送信点の第２の層から前記移動装置に前記第１の送信において前記パケットの前記第２の冗長度バージョンを送信する手段と、
前記第２の送信点の第２の層から前記移動装置に前記第２の送信において前記パケットの第３の冗長度バージョンを送信する手段と
を更に備える送信点。
【請求項２３】
請求項１８記載の送信点であって、前記第１の冗長度バージョン及び前記第２の冗長度バージョンは同じ冗長度バージョンである送信点。
【請求項２４】
請求項１４記載の送信点であって、前記第１の送信点及び前記第２の送信点は、前記パケットを前記移動装置に送信するために、前記複数の送信点のうちのサービング・ポイントの決定、又は、前記移動装置の決定に応じて求められる送信点。
【請求項２５】
請求項１４記載の送信点であって、前記第１の送信点及び前記第２の送信点は、前記パケットを前記移動装置に送信するために、前記複数の送信点間の協調に応じて求められる送信点。
【請求項２６】
請求項１４記載の送信点であって、前記第１の送信点及び前記第２の送信点は、前記パケットを前記移動装置に送信するためにランダムに求められる送信点。
【発明の詳細な説明】
【技術分野】
【０００１】
本発明は、無線通信システムにおいて別々の送信点を介して再送信を行う方法、及び関連した通信装置に関する。
【背景技術】
【０００２】
３ＧＰＰ  Ｒｅｌ−８標準及び／又は３ＧＰＰ  Ｒｅｌ−９標準をサポートするロングターム・エボリューション（ＬＴＥ）システムは、ユーザの増大するニーズを満たすためにＵＭＴＳの性能を更に向上させるためにユニバーサル・モバイル通信システム（ＵＭＴＳ）の後継として第３世代パートナーシップ・プロジェクト（３ＧＰＰ）によって開発されている。ＬＴＥシステムは、高データ・レート、低レーテンシ、パケット最適化、並びに向上したシステム容量及びカバレッジを提供する新たな無線ネットワーク・アーキテクチャ及び新たな無線インタフェースを含む。ＬＴＥシステムでは、エボルブド・ユニバーサル地上無線アクセス・ネットワーク（Ｅ−ＵＴＲＡＮ）として知られている無線アクセス・ネットワークは、複数のユーザ機器（ＵＥ）と通信し、非アクセス層（ＮＡＳ）制御のためにモビリティ管理エンティティ（ＭＭＥ）、サービング・ゲートウェイ等を含むコア・ネットワークと通信するために、複数のエボルブド・ノードＢ（ｅＮＢ）を含む。
【０００３】
ＬＴＥアドバンスド（ＬＴＥ−Ａ）システムはその名前が示唆するように、ＬＴＥシステムのエボリューションである。ＬＴＥ−Ａシステムは、電力状態間の切り替えの高速化を目標としており、ｅＮＢのカバレッジ・エッジにおける性能を向上し、キャリア・アグリゲーション（ＣＡ）、協調マルチポイント送受信（ＣｏＭＰ）、上りリンク（ＵＬ）複数入力複数出力（ＭＩＭＯ）等などの高度な手法を含む。ＵＥ及びｅＮＢがＬＴＥ−Ａシステムにおいて互いに通信するために、ＵＥ及びｅＮＢは、３ＧＰＰ  Ｒｅｌ−１０標準又はその後のバージョンなどの、ＬＴＥ−Ａシステムのために策定された標準をサポートしなければならない。
【０００４】
ハイブリッド自動再送要求（ＨＡＲＱ）処理は、効率的であり、かつ信頼できる通信を提供するために通信システム（例えば、ＬＴＥシステム及びＬＴＥ−Ａシステム）において使用される。自動再送要求（ＡＲＱ）処理と違って、順方向誤り訂正符号（ＦＥＣ）及びソフト合成がＨＡＲＱ処理に使用される。詳細には、複数の符号化ビットを含むパケット（例えば、データ・ストリーム、フレーム、又はトランスポート・ブロック）を送信側（例えば、ｅＮＢ）が受信側（例えば、ＵＥ）に送信する前に、送信側はパケットを複数のブロック（すなわち、複数の冗長度バージョン）に分ける。送信側は、送信又は再送信それぞれにおいて冗長度バージョンの１つのみを送信する。同じ冗長度バージョンが再送信において送信されるか否かに応じて、ＨＡＲＱに使用されるソフト合成は、チェイス合成（ＣＣ）及び漸進冗長度（ＩＲ）という２つのカテゴリに分類することが可能である。パケットの同じ冗長度バージョンが各再送信において送信される場合、ＨＡＲＱはＣＣベースのＨＡＲＱである。パケットの異なる冗長度バージョンが各再送信において送信される場合、ＨＡＲＱはＩＲベースのＨＡＲＱである。
【０００５】
例えば、送信側が第１の送信においてパケットの冗長度バージョンを受信側に送信した後、冗長度バージョンを復号化することにより、受信側がパケットを回復することが可能である場合、受信側は肯定応答（ＡＣＫ）をフィードバックする。反対に、冗長度バージョンを復号化することにより、受信側がパケットを回復することが可能でない場合、受信側は、否定応答（ＮＡＣＫ）を送信側にフィードバックする。この場合、受信側は、受信側のソフト・バッファにパケットの冗長度再バージョンを記憶し、第２の送信（すなわち、第１の再送信）においてパケットの冗長度バージョンを送信側が再送信するのを待つ。第１の送信及び第２の送信における冗長度バージョンは、ＨＡＲＱがＣＣベースのＨＡＲＱである場合、同じであり、ＨＡＲＱがＩＲベースのＨＡＲＱである場合、異なる。受信側が第２の送信において冗長度バージョンを受信した場合、受信側は、冗長度バージョン（同じか、又は異なるもの）を一緒に復号化してパケットを回復する。よって、パケットは、高い確率で回復することが可能である。パケットが回復されるか、又は最大数の再送信に達するまで、受信側はＨＡＲＱ処理（すなわち、パケットの冗長度バージョンの蓄積）を続ける。誤りが少ないパケットはＮＡＣＫのフィードバック（すなわち、再送信の要求）なしでＦＥＣを使用することによって回復することが可能であり、誤りが多いパケットは、冗長度バージョンを一緒に復号化することによって回復することが可能であるので、通信システムのスループットは、再送信の減少により、増加する。
【０００６】
ＣｏＭＰがＵＥ及び複数の送信点（例えば、ｅＮＢの遠隔アンテナ、中継ノード、又はｅＮＢ）に構成されると、ＵＥは、同時に送信点と通信し得る（すなわち、送信点の全部又は一部を介してサービスにアクセスし得る）。例えば、送信点は、ｅＮＢの遠隔アンテナ（例えば、遠隔無線ヘッド（ＲＲＨ）、中継ノード、又はｅＮＢであり得る。より具体的には、ｅＮＢは１つの送信点のみを管理し得、又は複数の送信点を管理し得る。すなわち、別々の送信点のセル識別情報（ＩＤ）は（例えば、別々のｅＮＢによって管理されている場合、）異なり得、又は（例えば、同じｅＮＢによって管理されている場合、）同じであり得る。よって、ＵＥと送信点との間で送信される信号は、信号の品質が良好であることによって容易に回復し得る。
【０００７】
詳細には、送信点がＣｏＭＰにおいて関係している場合、送信点の１つは、サービング・ポイント（すなわち、サービング・セル）である。一般に、サービング・ポイントとＵＥとの間のリンク品質は、他の送信点とＵＥとの間のリンク品質よりも良好である。更に、ＣｏＭＰは、ジョイント処理（ＪＰ）及び協調スケジューリング／ビームフォーミング（ＣＳ／ＣＢ）という２つの主なカテゴリに分類することが可能である。ＪＰとＣＳ／ＣＢとの主たる差は、ＪＰが構成された場合（すなわち、イネーブルされた場合）、送信点全てにおいてＵＥのデータが利用可能である一方、ＵＥのデータは、ＣＳ／ＣＢが構成された場合、サービング・ポイントのみで利用可能である。ＪＰは更に、ジョイント送信及び動的点選択という２つのカテゴリに分類することが可能である。ジョイント送信が構成されると、ＵＥのデータを、複数の送信点から（例えば、コヒーレントに、又は非コヒーレントに）ＵＥに送信して、信号品質を向上させ、かつ／又は干渉を打ち消し得る。動的点選択が構成された場合、ＵＥのデータを、（例えば、ＵＥの選択又は示唆により、）送信点のうちの１つのみからＵＥに送信して信号品質を向上させ、かつ／又は干渉を避ける。一方、ＣＳ／ＣＢが構成された場合、ＵＥのデータはサービング・ポイントからＵＥにのみ送信される一方、他の送信点は、干渉を軽減するようビームフォーミングを調節する（例えば、そのビームを移動させる）か、又はスケジューリングを調節し得る（例えば、送信を停止し得る）。
【発明の概要】
【発明が解決しようとする課題】
【０００８】
しかし、従来技術によれば、ＨＡＲＱ処理をＣｏＭＰによって処理した場合、ＵＥのパケットは、同じ送信点からＵＥにのみ、送信することが可能である。すなわち、パケットが送信点からＵＥに送信された後、パケットの再送信は、同じ送信点によってのみ行うことが可能である。ＵＥと送信点との間のリンク品質が劣悪な場合、パケットを回復するために多数の再送信が必要である。よって、ＣｏＭＰによってサポートされるダイバーシチは、同じ送信点からパケットの再送信を行うという規則によって実現されるものでない。その結果、ＵＥのスループットは、ＣｏＭＰを動作させる場合に最大にすることが可能でない。したがって、ＨＡＲＱ処理をＣｏＭＰによって動作させた場合にＵＥのスループットを最大にすることは、議論する対象のトピックである。
【課題を解決するための手段】
【０００９】
これを念頭におけば、本出願は、上記課題を解決するために、別々の送信点を介して再送信を行うための無線通信システムの複数の送信点及び方法を提供することを目的とする。
【００１０】
このことは、請求項１及び１４に記載のキャリア・アグリゲーションのためにソフト・バッファを扱う複数の送信点及び方法によって実現される。
【図面の簡単な説明】
【００１１】
【図１】本発明の実施例による無線通信システムを示す概略図である。
【図２】本発明の実施例による通信装置を示す概略図である。
【図３】本発明の実施例による処理を示すフロー図である。
【図４】本発明による、別々の送信点を介したパケットの再送信を示す概略図である。
【図５】本発明による、別々の送信点を介したパケットの再送信を示す概略図である。
【図６】本発明による、別々の送信点を介したパケットの再送信を示す概略図である。
【図７】本発明による、複数の層を備えた別々の送信点を介したパケットの再送信を示す概略図である。
【図８】本発明による、別々の送信点の複数層を介したパケットの再送信を示す概略図である。
【図９】本発明による、別々の送信点の複数層を介したパケットの再送信を示す概略図である。
【発明を実施するための形態】
【００１２】
以下の詳細な説明から更に明確に分かるように、無線通信システムにおける複数の送信点から無線通信システムの移動装置にパケットの再送信を行う、本願の特許請求の範囲記載の方法を開示している。上記方法は、第１の送信において複数の送信点のうちの第１の送信点から移動装置にパケットを送信する工程と、第１の送信において第１の送信点からパケットを送信した後、第２の送信において複数の送信点のうちの第２の送信点から移動装置にパケットを送信する工程とを含み、第１の送信点及び第２の送信点は別々の送信点である。
【実施例】
【００１３】
本発明の実施例による無線通信システム１０の概略図である図１を参照されたい。無線通信システム１０は、簡単には、ＵＥ、及び７つの送信点ＴＰ１乃至ＴＰ７を含み、送信点ＴＰ１乃至ＴＰ７はそれぞれ、ＵＥとの間でデータ送受信を行うことが可能である。無線通信システム１０は、ユニバーサル・モバイル通信システム（ＵＭＴＳ）などの広帯域符号分割多元アクセス（ＷＣＤＭＡ）システムであり得る。あるいは、無線通信システム１０は、ロングターム・エボリューション（ＬＴＥ）システム、ＬＴＥアドバンスド（ＬＴＥ−Ａ）システム、又はＬＴＥ−Ａシステムの後継などの直交周波数分割多元アクセス（ＯＦＤＭＡ）システム及び／又は直交周波数分割変調（ＯＦＤＭ）システムであり得る。更に、ＵＥ及び送信点ＴＰ１乃至ＴＰ７は、ＵＥのスループットを向上させるために、ハイブリッド自動再送要求（ＨＡＲＱ）処理を動作させることが可能であり、ＨＡＲＱ処理に使用されるソフト合成は、チェイス合成（ＣＣ）又は漸進的冗長度（ＩＲ）であり得る。
【００１４】
なお、無線通信システム１０の構造を例証するために、ＵＥ及び送信点ＴＰ１乃至ＴＰ３を利用しているに過ぎない。実際には、送信点ＴＰ１乃至ＴＰ７は、ＬＴＥ―Ａシステム又はＬＴＥシステムのエボルブドＵＴＲＡＮ（Ｅ−ＵＴＲＡＮ）における遠隔無線ヘッド（ＲＲＨ）、中継ノード、エボルブド・ノードＢ（ｅＮＢ）、又はＵＭＴＳのユニバーサル地上無線アクセス・ネットワーク（ＵＴＲＡＮ）におけるノードＢ（ＮＢ）として表し得、本明細書及び特許請求の範囲では制限されない。ＵＥは、携帯電話機、ラップトップ、タブレット・コンピュータ、電子ブック、及びポータブル・コンピュータ・システムなどのモバイル装置であり得る。更に、送信点及びＵＥは、送信方向に応じて送信側又は受信側としてみることが可能である。例えば、上りリンク（ＵＬ）の場合、ＵＥは送信側であり、送信点は、受信側であり、下りリンク（ＤＬ）の場合、送信点は送信側であり、ＵＥは受信側である。
【００１５】
更に、無線通信システム１０は、複数の送信点を含むマルチポイント協調ネットワークとしてみることが可能である。すなわち、ＵＥは、送信点ＴＰ１乃至ＴＰ７の第１の組に信号（例えば、パケット）を送信し得、ＵＥは、送信点ＴＰ１乃至ＴＰ７の第２の組によって送信された信号を受け取り得、第１の組及び第２の組は同じであっても、別々であってもよい。その結果、信号の信号品質が向上する。例えば、無線通信システム１０がＬＴＥ−Ａシステムとして表される場合、これは、無線通信システム１０が協調マルチポイント送受信（ＣｏＭＰ）をサポートするということを意味している。ＣｏＭＰは、ジョイント処理（ＪＰ）（例えば、ジョイント送信若しくは動的点選択）又は協調スケジューリング／ビームフォーミング（ＣＳ／ＣＢ）として構成され、制限されるものでない。更に、汎用性が失われることなしに、送信点ＴＰ１は、ＵＥのサービング・ポイント（すなわち、サービング・セル）としてみることが可能であり、送信点ＴＰ１とＵＥとの間のリンク品質は、他の送信点とＵＥとの間のリンク品質よりも良好である。
【００１６】
本発明の実施例による通信装置２０の概略図である図２を参照されたい。通信装置２０は、図１に示す送信点又はＵＥであり得るが、本明細書及び特許請求の範囲では制限されない。通信装置２０は、通信インタフェース装置２２０、記憶装置２１０、特定用途向集積回路（ＡＳＩＣ）やマイクロプロセッサなどの処理手段２００を含み得る。記憶装置２１０は、処理手段２００によってアクセスされるプログラム・コード２１４を記憶することが可能な何れかのデ―タ記憶装置であり得る。記憶装置２１０の例には、限定列挙でないが、加入者識別情報モジュール（ＳＩＭ）、リードオンリ・メモリ（ＲＯＭ）、フラッシュ・メモリ、ランダムアクセス・メモリ（ＲＡＭ）、ＣＤ−ＲＯＭ／ＤＶＤ−ＲＯＭ、磁気テープ、ハード・ディスク、及び光データ記憶装置を含む。通信インターフェーシング装置２２０は好ましくは、無線トランシーバであり、処理手段２００の処理結果に応じて無線信号を送受信することが可能である。
【００１７】
本発明の実施例による処理３０のフローチャートである図３を参照されたい。処理３０は、送信点ＴＰ１乃至ＴＰ７の一部又は全てからＵＥへのパケットの再送信を行うために、図１の送信点ＴＰ１乃至ＴＰ７において利用される。処理３０は、プログラム・コード２１４にコンパイルし得、
工程３００：  開始
工程３０２：  第１の送信において、送信点ＴＰ１乃至ＴＰ７のうちの第１の送信点からＵＥにパケットを送信する
工程３０４：  第１の送信において第１の送信点からパケットを送信した後、第２の送信において、送信点ＴＰ１乃至ＴＰ７のうちの第２の送信点からＵＥにパケットを送信し、第１の送信点及び第２の送信点は別々の送信点である
工程３０６：  終了
の工程を含む。
【００１８】
処理３０によれば、第１の送信において送信点ＴＰ１乃至ＴＰ７のうちの第１の送信点からＵＥにパケットを送信した後、ＵＥは、パケットを首尾良く回復（例えば、復号化）することができず、パケットの再送信を要求する。次いで、第２の送信（すなわち、第１の再送信）では、第１の送信点とは別の、送信点ＴＰ１乃至ＴＰ７のうちの第２の送信点はパケットをＵＥに送信する。ＵＥと第１の送信点との間のリンク品質と、ＵＥと第２の送信点との間のリンク品質は通常、関係ない（例えば、異なる）ため、リンク品質の何れもが同時に劣悪である可能は低く、パケットは何れの送信でも激しい損傷を受ける。更に、ＵＥが２つの送信におけるパケットを受信し、合成した後、ＵＥがパケットを首尾良く回復することが可能である可能性は高い。第２の送信後にＵＥがなお、パケットを回復することができなかった場合でも、ＵＥは処理３０を続けることが可能である。すなわち、パケットが回復されるか、又は最大数の再送信に達するまで、パケットは、第３の送信において、送信点ＴＰ１乃至ＴＰ７の第３の送信点からＵＥに再送信され、第３の送信点は第２の送信点と別である。したがって、送信点ＴＰ１乃至ＴＰ７によって提供されるダイバーシチは、より少ない再送信でパケットを回復することが可能であるように実現することが可能である。その結果、ＵＥのスループットを向上させることが可能である。
【００１９】
本発明の目標は、ＵＥのスループットを向上させることが可能であるように、送信点によって提供されるダイバーシチを実現する（すなわち、得る）ために、パケットの再送信が、別々の送信点を介して行われる。処理３０の実現形態は制限されない。
【００２０】
例えば、本発明による、別々の送信点を介したパケットの再送信の概略図である図４を参照されたい。図４では、パケットの当初の送信、又は再送信を行うためにＵＥに割り当てられるリソース群は、色を塗った正方形で表され、他のＵＥに割り当てられているか、又は、使用されているものでないリソース群は、空白の正方形で表される。詳細には、ＵＥは、リソース群４００乃至４０８を使用することにより、送信点ＴＰ１、ＴＰ３、及びＴＰ４からパケットＰＫＴ１乃至ＰＫＴ４を受け取る準備をする。
好ましくは、リソース群の周波数指数（すなわち、サブキャリア指数）により、リソース群の1対１の対応関係が仮定される。例えば、リソース群４００、４０３、及び４０６の周波数指数は同じであり、リソース群４０１、４０４、及び４０７の周波数指数は同じであり、リソース群４０２、４０５、及び４０８の周波数指数は同じである。図４におけるＨＡＲＱにチェイス合成を仮定しているので、パケットＰＫＴ１乃至ＰＫＴ４毎に１つの冗長度バージョンのみが存在している。すなわち、パケットを回復するために再送信が必要な場合、同じパケットが再送信それぞれにおいて送信される。パケットＰＫＴ１の送信がまず、以下のように説明される。送信点ＴＰ１が、リソース群４００を使用することにより、当初の送信においてＵＥにパケットＰＫＴ１を送信した後、ＵＥは、パケットＰＫＴ１を回復することができない。ＵＥは、例えば、パケットＰＫＴ１に対応する否定応答（ＮＡＣＫ）をフィードバックすることにより、パケットＰＫＴ１の第１の再送信を要求する。次いで、送信点ＴＰ４は、リソース群４０７を使用することにより、第１の再送信においてパケットＰＫＴ１を再送信する。すなわち、第１の再送信は、当初の送信を行う送信点とは別の送信点を介して行われる。第１の再送信後、ＵＥがなお、パケットＰＫＴ１を回復することができなかった場合、送信点ＴＰ３は、リソース群４０５を使用することにより、第２の再送信において、パケットＰＫＴ１を再送信することが可能である。（例えば、第２の再送信後、）ＵＥがパケットＰＫＴ１を回復することが可能になるまで、又は最大数の再送信に達するまで、上記記述を動作させる。
【００２１】
同様に、パケットＰＫＴ２が、（リソース群４０３を使用することにより、）送信点ＴＰ３から、（リソース群４０１を使用することにより、）送信点ＴＰ１から、かつ、（リソース群４０８を使用することにより、）送信点ＴＰ４からＵＥに当初の送信、第１の再送信、及び第２の送信それぞれで送信される。ＵＥは、第２の再送信の前にパケットＰＫＴ２を回復することができないからである。一方、パケットＰＫＴ３は、（リソース群４０６を使用することにより、）送信点ＴＰ４から、かつ、（リソース群４０４を使用することにより、）送信点ＴＰ３から、ＵＥに当初の送信及び第１の再送信それぞれで送信されるに過ぎない。ＵＥは、第１の再送信の後、パケットＰＫＴ３を回復することが可能であるからである。よって、送信点ＴＰ１は、リソース群４０２を使用することにより、パケットＰＫＴ４を送信することが可能である。
【００２２】
したがって、上記例証によれば、パケットの送信（例えば、再送信）は、別々の送信点それぞれを介して行われる。ダイバーシチは、より少ない再送信でパケットを回復することが可能であるように再送信について実現可能である。その結果、ＵＥのスループットが向上する。更に、送信それぞれにおいて複数のパケットがＵＥに送信されるので、ＵＥのスループットが更に向上する。
【００２３】
一方、本発明は更に、漸進冗長度を備えたＨＡＲＱに適用することも可能である。すなわち、パケットの別々の冗長度バージョンが、パケットを回復するために再送信される。例えば、本発明による、別々の送信点を介したパケットの再送信の概略図である図５を参照されたい。図５では、パケットの当初の送信、又は再送信を行うためにＵＥに割り当てられるリソース群は、色を塗った正方形で表され、他のＵＥに割り当てられているか、又は、使用されているものでないリソース群は、空白の正方形で表される。
【００２４】
詳細には、ＵＥは、リソース群５００乃至５０８を使用することにより、送信点ＴＰ１、ＴＰ３、及びＴＰ４からパケットＰＫＴ１ａ乃至ＰＫＴ３ａを受け取る準備をする。好ましくは、リソース群の周波数指数（すなわち、サブキャリア指数）により、リソース群に１対１の対応関係が仮定される。例えば、リソース群５００、５０３、及び５０６の周波数指数は同じであり、リソース群５０１、５０４、及び５０７の周波数指数は同じであり、リソース群５０２、５０５、及び５０８の周波数指数は同じである。図５におけるＨＡＲＱに漸進冗長度を仮定しているので、パケットＰＫＴ１ａ乃至ＰＫＴ３ａ毎に複数の冗長度バージョンが存在している。すなわち、パケットを回復するために再送信が必要な場合、パケットの別の冗長度バージョンを再送信において送信し得る。パケットＰＫＴ１ａ乃至ＰＫＴ３ａそれぞれの冗長度バ―ジョンの数は同じでないことがあり得る。例えば、図５に示すように、パケットＰＫＴ１ａ乃至ＰＫＴ３ａの冗長度バージョンの数はそれぞれ、３、３、及び２である。冗長度バージョンは、冗長度バージョンの数により、ＲｅＶ０乃至ＲｅＶ２としてラベリングされる。パケットＰＫＴ１ａの送信はまず、以下のように説明される。送信点ＴＰ１が、リソース群５００を使用することにより、当初の送信においてＵＥにパケットＰＫＴ１ａの冗長度バージョンＲｅＶ０を送信した後、ＵＥは、パケットＰＫＴ１ａを回復することができない。ＵＥは、（例えば、パケットＰＫＴ１ａに対応するＮＡＣＫをフィードバックすることにより、）パケットＰＫＴ１ａの第１の再送信を要求する。次いで、送信点ＴＰ３は、リソース群５０４を使用することにより、第１の再送信においてパケットＰＫＴ１ａの冗長度バージョンＲｅＶ１を再送信する。すなわち、第１の再送信は、当初の送信を行う送信点と別の送信点を介して行われる。第１の再送信後、ＵＥがなお、パケットＰＫＴ１ａを回復することができなかった場合、送信点ＴＰ４は、リソース群５０８を使用することにより、第２の再送信において、パケットＰＫＴ１ａの冗長度バージョンＲｅＶ２を再送信することが可能である。（例えば、第２の再送信後）ＵＥがパケットＰＫＴ１ａを回復することが可能になるまで、又は最大数の再送信に達するまで、上記記述を動作させる。
【００２５】
同様に、パケットＰＫＴ２ａの冗長度バージョンＲｅＶ０乃至ＲｅＶ２が、（リソース群５０３を使用することにより、）送信点ＴＰ３から、（リソース群５０７を使用することにより、）送信点ＴＰ４から、かつ、（リソース群５０２を使用することにより、）送信点ＴＰ１からＵＥに当初の送信、第１の再送信、及び第２の再送信それぞれで送信される。ＵＥは、第２の再送信の前にパケットＰＫＴ２ａを回復することができないからである。更に、パケットＰＫＴ３ａの冗長度バージョンＲｅＶ０乃至Ｒｅｖ１は、（リソース群５０６を使用することにより、）送信点ＴＰ４から、かつ、（リソース群５０１を使用することにより、）送信点ＴＰ１からＵＥに当初の送信及び第１の再送信それぞれにおいて送信される。更に、パケットＰＫＴ３ａの冗長度バージョンＲｅＶ１は再び、（リソース群５０５を使用することにより、）送信点ＴＰ３からＵＥに第２の再送信において送信される。ＵＥは、第２の再送信の前にパケットＰＫＴ３ａを回復することができないからである。すなわち、パケットの冗長度バージョンは、同じ再送信において同じであることを必要とせず、パケットの冗長度バージョンは、連続する送信において異なることを必要としない。
【００２６】
したがって、上記例証によれば、パケットの冗長度バージョンの送信（例えば、再送信）は、別々の送信点それぞれを介して行われる。ダイバーシチは、より少ない再送信でパケットを回復することが可能であるように再送信について実現可能である。その結果、ＵＥのスループットが向上する。更に、送信それぞれにおいて複数のパケットがＵＥに送信されるので、ＵＥのスループットが更に向上する。
【００２７】
一方、パケットの別々の冗長度バージョンは、パケットを回復するために、同じ送信（例えば、再送信）において、別々の送信点からＵＥに送信することが可能である。例えば、本発明による、別々の送信点を介したパケットの再送信の概略図である図６を参照されたい。図６では、パケットの当初の送信、又は再送信を行うためにＵＥに割り当てられるリソース群は、色を塗った正方形で表され、他のＵＥに割り当てられているか、又は、使用されているものでないリソース群は、空白の正方形で表される。  
詳細には、ＵＥは、リソース群６００乃至６０８を使用することにより、送信点ＴＰ１、ＴＰ３、及びＴＰ４からパケットＰＫＴ１ｂ乃至ＰＫＴ２ｂを受け取る準備をする。好ましくは、リソース群の周波数指数（すなわち、サブキャリア指数）により、リソース群に１対１の対応関係が仮定される。例えば、リソース群６００、６０３、及び６０６の周波数指数は同じであり、リソース群６０１、６０４、及び６０７の周波数指数は同じであり、リソース群６０２、６０５、及び６０８の周波数指数は同じである。図６におけるＨＡＲＱに漸進冗長度を仮定しているので、パケットＰＫＴ１ｂ乃至ＰＫＴ２ｂ毎に複数の冗長度バージョンが存在している。すなわち、パケットを回復するために再送信が必要な場合、パケットの別の冗長度バージョンを再送信において送信し得る。パケットＰＫＴ１ｂ乃至ＰＫＴ２ｂそれぞれの冗長度バ―ジョンの数は同じでないことがあり得る。例えば、図６に示すように、パケットＰＫＴ１ｂ乃至ＰＫＴ２ｂの冗長度バージョンの数はそれぞれ、４及び３である。冗長度バージョンは、冗長度バージョンの数により、ＲｅＶ０乃至ＲｅＶ３としてラベリングされる。パケットＰＫＴ１ｂの送信がまず、以下のように説明される。パケットＰＫＴ１ｂの冗長度バージョンＲｅＶ０及びＲｅｖ１が、（リソース群６００を使用することにより、）送信点ＴＰ１から、かつ、（リソース群６０３を使用することにより、）送信点ＴＰ３から、ＵＥに、当初の送信において送信されるので、ＵＥはパケットＰＫＴ１ｂを回復することができない。ＵＥは、（例えば、パケットＰＫＴ１ｂに対応するＮＡＣＫをフィードバックすることにより、）パケットＰＫＴ１ｂの第１の再送信を要求する。更に、パケットＰＫＴ１ｂの冗長度バージョンＲｅＶ２乃至Ｒｅｖ３は、（リソース群６０４を使用することにより、）送信点ＴＰ３から、かつ、（リソース群６０７を使用することにより、）送信点ＴＰ４からＵＥに第１の再送信において送信される。すなわち、当初の送信を行う送信点の組と、異なる（すなわち、部分的に異なる。完全に異なることもあり得る）送信点の組を介して、第１の再送信が行われる。第１の再送信後に、ＵＥがなおパケットＰＫＴ１ｂを回復することができない場合、パケットＰＫＴ１ｂの冗長度バージョンＲｅＶ０及びＲｅＶ１が、（リソース群６０８を使用することにより、）送信点ＴＰ４から、かつ、（リソース群６０２を使用することにより、）送信点ＴＰ１から、ＵＥに、第２の再送信において送信される。ＵＥがパケットＰＫＴ１ｂを回復することが可能になるまで（例えば、第２の再送信後まで）、又は、最大数の再送信に達するまで、上記記述を動作させる。
【００２８】
更に、パケットＰＫＴ２ｂの冗長度バージョンＲｅＶ０乃至ＲｅＶ２が、（リソース群６０６を使用することにより、）送信点ＴＰ４から、（リソース群６０１を使用することにより、）送信点ＴＰ１から、かつ、（リソース群６０５を使用することにより、）送信点ＴＰ３からＵＥに当初の送信、第１の再送信、及び第２の再送信それぞれで送信される。ＵＥは、第２の再送信の前にパケットＰＫＴ２ｂを回復することができないからである。  
したがって、上記例証によれば、パケットの冗長度バージョンの送信（例えば、再送信）は、別々の送信点それぞれを介して行われる。ダイバーシチは、より少ない再送信でパケットを回復することが可能であるように再送信について実現可能である。その結果、ＵＥのスループットが向上する。更に、送信それぞれにおいて複数のパケットがＵＥに送信されるので、ＵＥのスループットが更に向上する。更に、重要な情報（例えば、制御情報）を複数の送信点からＵＥに同じ送信（例えば、再送信）において送信することが可能であるので、ＵＥの動作を一様に維持することが可能である。
【００２９】
一方、パケットの別々の冗長度バージョンを、複数の層を備えた別々の送信点からＵＥに、パケットを回復するために送信することが可能である。例えば、本発明による、複数の層を備えた別々の送信点を介したパケットの再送信の概略図である図７を参照されたい。図７では、パケットの当初の送信、又は再送信を行うためにＵＥに割り当てられるリソース群は、色を塗った正方形で表され、他のＵＥに割り当てられているか、又は使用されているものでないリソース群は、空白の正方形で表される。
【００３０】
詳細には、ＵＥは、送信点ＴＰ１、ＴＰ３、及びＴＰ４からパケットＰＫＴ１ｃ乃至ＰＫＴ６を受信するよう準備する。更に、送信点ＴＰ１、ＴＰ３、及びＴＰ４はそれぞれ、より多くのリソース群（すなわち、リソース群７００乃至７１７）を使用することにより、パケットＰＫＴ１ｃ乃至ＰＫＴ６ｃを送信することが可能であるように、２つの層（すなわち、少なくとも２つの送信アンテナ）ＬＲ１及びＬＲ２を有する。好ましくは、リソース群の周波数指数（すなわち、サブキャリア指数）により、リソース群に、１対１の対応関係が仮定される。例えば、リソース群７００、７０３、７０６、７０９、７１２、及び７１５の周波数指数は同じであり、リソース群７０１、７０４、７０７、７１０、７１３、及び７１６の周波数指数は同じであり、リソース群７０２、７０５、７０８、７１１、７１４、及び７１７の周波数指数は同じである。図７におけるＨＡＲＱに漸進冗長度を仮定しているので、パケットＰＫＴ１ｃ乃至ＰＫＴ６ｃ毎に複数の冗長度バージョンが存在している。すなわち、パケットを回復するために再送信が必要な場合、パケットの別の冗長度バージョンを再送信において送信し得る。パケットＰＫＴ１ｃ乃至ＰＫＴ６ｃそれぞれの冗長度バ―ジョンの数が同じであることは要求されない。図７では、パケットＰＫＴ１ｃ乃至ＰＫＴ６ｃそれぞれの冗長度バージョンの数は３である。冗長度バージョンは、冗長度バージョンの数に応じてＲｅＶ０乃至ＲｅＶ２としてラベリングされている。
【００３１】
パケットＰＫＴ１ｃ及びＰＫＴ２ｃの送信はまず、以下のように説明される。パケットＰＫＴ１ｃ及びＰＫＴ２ｃの冗長度バージョンＲｅＶ０が、（リソース群７００を使用することにより、）送信点ＴＰ１の層ＬＲ１から、かつ、（リソース群７０３を使用することにより、）送信点ＴＰ１の層ＬＲ２から、ＵＥに、当初の送信において送信されるので、ＵＥはパケットＰＫＴ１ｃ及びＰＫＴ２ｃを回復することができない。ＵＥは、（例えば、パケットＰＫＴ１ｃ及びＰＫＴ２ｃに対応するＮＡＣＫをフィードバックすることにより、）パケットＰＫＴ１ｃ及びＰＫＴ２ｃの第１の再送信を要求する。更に、パケットＰＫＴ１ｃ及びＰＫＴ２ｃの冗長度バージョンＲｅＶ１は、（リソース群７１３を使用することにより、）送信点ＴＰ４の層ＬＲ１から、かつ、（リソース群７１６を使用することにより、）送信点ＴＰ４の層ＬＲ２からＵＥに第１の再送信において送信される。すなわち、第１の再送信は、当初の送信を行う送信点とは別の送信点を介して行われる。第１の再送信後に、ＵＥがなおパケットＰＫＴ１ｃ及びＰＫＴ２ｃを回復することができない場合、パケットＰＫＴ１ｃ及びＰＫＴ２ｃの冗長度バージョンＲｅＶ２が、（リソース群７０８を使用することにより、）送信点ＴＰ３の層ＬＲ１から、かつ、（リソース群７１１を使用することにより、）送信点ＴＰ３の層ＬＲ２から、ＵＥに、第２の再送信において送信される。（例えば、第２の再送信後、）ＵＥがパケットＰＫＴ１ｃ及びＰＫＴ２ｃを回復することが可能になるまで、又は、最大数の再送信に達するまで、上記記述を動作させる。
【００３２】
同様に、パケットＰＫＴ３ｃ及びＰＫＴ４ｃの冗長度バージョンＲｅＶ０は、（リソース群７０６を使用することにより、）送信点ＴＰ３の層ＬＲ１から、かつ、（リソース群７０９を使用することにより、）送信点ＴＰ３の層ＬＲ２からＵＥに当初の送信において送信される。パケットＰＫＴ３ｃ及びＰＫＴ４ｃの冗長度バージョンＲｅＶ１は、（リソース群７０１を使用することにより、）送信点ＴＰ１の層ＬＲ１から、かつ、（リソース群７０４を使用することにより、）送信点ＴＰ１の層ＬＲ２からＵＥに第１の再送信において送信される。次いで、パケットＰＫＴ３ｃ及びＰＫＴ４ｃの冗長度バージョンＲｅＶ２が、（リソース群７１４を使用することにより、）送信点ＴＰ４の層ＬＲ１から、かつ、（リソース群７１７を使用することにより、）送信点ＴＰ４の層ＬＲ２から、ＵＥに、第２の再送信において送信される。ＵＥはパケットＰＫＴ３ｃ及びＰＫＴ４ｃを第２の再送信前に回復することができないからである。
【００３３】
更に、パケットＰＫＴ５ｃ及びＰＫＴ６ｃの冗長度バージョンＲｅＶ０は、（リソース群７１２を使用することにより、）送信点ＴＰ４の層ＬＲ１から、かつ、（リソース群７１５を使用することにより、）送信点ＴＰ４の層ＬＲ２からＵＥに当初の送信において送信される。パケットＰＫＴ５ｃ及びＰＫＴ６ｃの冗長度バージョンＲｅＶ１は、（リソース群７０７を使用することにより、）送信点ＴＰ３の層ＬＲ１から、かつ、（リソース群７１０を使用することにより、）送信点ＴＰ３の層ＬＲ２からＵＥに第１の再送信において送信される。次いで、パケットＰＫＴ５ｃ及びＰＫＴ６ｃの冗長度バージョンＲｅＶ２が、（リソース群７０２を使用することにより、）送信点ＴＰ１の層ＬＲ１から、かつ、（リソース群７０５を使用することにより、）送信点ＴＰ１の層ＬＲ２から、ＵＥに、第２の再送信において送信される。ＵＥはパケットＰＫＴ５ｃ及びＰＫＴ６ｃを第２の再送信前に回復することができないからである。
【００３４】
したがって、上記例証によれば、パケットの冗長度バージョンの送信（例えば、再送信）は、別々の送信点それぞれを介して行われる。ダイバーシチは、より少ない再送信でパケットを回復することが可能であるように再送信について実現可能である。その結果、ＵＥのスループットが向上する。更に、複数の層を有する送信点は、より多くのリソース群を提供することが可能であるので、より多くのパケットを単一の送信（例えば、再送信）において送信することが可能である。ＵＥのスループットが更に向上する。
【００３５】
パケットの別々の冗長度バージョンが、図７における別々の送信点の同じ層を介して送信される。しかし、このことは、本発明を実現するために必要な制限でない。例えば、パケットＰＫＴ１ｃの冗長度バージョンＲｅＶ０及びＲｅＶ１は、送信点ＴＰ１の層ＬＲ１及び送信点ＴＰ４の層ＬＲ２からＵＥに送信することが可能である。
【００３６】
一方、パケットの冗長度バージョンは、パケットを回復するために、送信（例えば、再送信）において、別々の送信点の複数の層からＵＥに送信することが可能である。例えば、本発明による、別々の送信点の複数の層を介したパケットの再送信の概略図である図８を参照されたい。図８では、パケットの当初の送信、又は再送信を行うためにＵＥに割り当てられるリソース群は、色を塗った正方形で表され、使用されていないか、又は他のＵＥに割り当てられていないリソース群は、空白の正方形で表される。
【００３７】
詳細には、ＵＥは、送信点ＴＰ１、ＴＰ３、及びＴＰ４からパケットＰＫＴ１ｄ乃至ＰＫＴ３ｄを受信するよう準備する。更に、送信点ＴＰ１、ＴＰ３、及びＴＰ４はそれぞれ、より多くのリソース群（すなわち、リソース群８００乃至８１７）を使用することにより、パケットＰＫＴ１ｄ乃至ＰＫＴ３ｄを送信することが可能であるように、２つの層（すなわち、少なくとも２つの送信アンテナ）ＬＲ１及びＬＲ２を有する。好ましくは、リソース群の周波数指数（すなわち、サブキャリア指数）により、リソース群に、１対１の対応関係が仮定される。例えば、リソース群８００、８０３、８０６、８０９、８１２、及び８１５の周波数指数は同じであり、リソース群８０１、８０４、８０７、８１０、８１３、及び８１６の周波数指数は同じであり、リソース群８０２、８０５、８０８、８１１、８１４、及び８１７の周波数指数は同じである。図８におけるＨＡＲＱに漸進冗長度を仮定しているので、パケットＰＫＴ１ｄ乃至ＰＫＴ３ｄ毎に複数の冗長度バージョンが存在している。すなわち、パケットを回復するために再送信が必要な場合、パケットの別の冗長度バージョンを再送信において送信し得る。パケットＰＫＴ１ｄ乃至ＰＫＴ３ｄそれぞれの冗長度バ―ジョンの数が同じであることは要求されない。図８では、パケットＰＫＴ１ｄ乃至ＰＫＴ３ｄそれぞれの冗長度バージョンの数は３である。冗長度バージョンは、冗長度バージョンの数に応じてＲｅＶ０乃至ＲｅＶ２としてラベリングされている。
【００３８】
パケットＰＫＴ１ｄの送信がまず、以下のように説明される。パケットＰＫＴ１ｄの冗長度バージョンＲｅＶ０が、（リソース群８００を使用することにより、）送信点ＴＰ１の層ＬＲ１から、かつ、（リソース群８１５を使用することにより、）送信点ＴＰ４の層ＬＲ２から、ＵＥに、当初の送信において送信された後、ＵＥはパケットＰＫＴ１ｄを回復することができない。ＵＥは、（例えば、パケットＰＫＴ１ｄに対応するＮＡＣＫをフィードバックすることにより、）パケットＰＫＴ１ｄの第１の再送信を要求する。更に、パケットＰＫＴ１ｄの冗長度バージョンＲｅＶ１は、（リソース群８０７を使用することにより、）送信点ＴＰ３の層ＬＲ１から、かつ、（リソース群８０４を使用することにより、）送信点ＴＰ１の層ＬＲ２からＵＥに第１の再送信において送信される。すなわち、第１の再送信は送信点の組の層を介して行われ、送信点の組は、当初の送信を行う送信点の組とは異なる（すなわち、部分的に異なるが、完全に異なり得る）。第１の再送信後に、ＵＥがなおパケットＰＫＴ１ｄを回復することができない場合、パケットＰＫＴ１ｄの冗長度バージョンＲｅＶ２が、（リソース群８１４を使用することにより、）送信点ＴＰ４の層ＬＲ１から、かつ、（リソース群８１１を使用することにより、）送信点ＴＰ３の層ＬＲ２から、ＵＥに、第２の再送信において送信される。（例えば、第２の再送信後、）ＵＥがパケットＰＫＴ１ｄを回復することが可能になるまで、又は、最大数の再送信に達するまで、上記記述を動作させる。
【００３９】
同様に、パケットＰＫＴ２ｄの冗長度バージョンＲｅＶ０は、（リソース群８０６を使用することにより、）送信点ＴＰ３の層ＬＲ１から、かつ、（リソース群８０３を使用することにより、）送信点ＴＰ１の層ＬＲ２からＵＥに当初の送信において送信される。パケットＰＫＴ２ｄの冗長度バージョンＲｅＶ１は、（リソース群８１３を使用することにより、）送信点ＴＰ４の層ＬＲ１から、かつ、（リソース群８１０を使用することにより、）送信点ＴＰ３の層ＬＲ２からＵＥに第１の再送信において送信される。次いで、パケットＰＫＴ２ｄの冗長度バージョンＲｅＶ２が、（リソース群８０２を使用することにより、）送信点ＴＰ１の層ＬＲ１から、かつ、（リソース群８１７を使用することにより、）送信点ＴＰ４の層ＬＲ２から、ＵＥに、第２の再送信において送信される。ＵＥはパケットＰＫＴ２ｄを第２の再送信前に回復することができないからである。
【００４０】
更に、パケットＰＫＴ３ｄの冗長度バージョンＲｅＶ０は、（リソース群８１２を使用することにより、）送信点ＴＰ４の層ＬＲ１から、かつ、（リソース群８０９を使用することにより、）送信点ＴＰ３の層ＬＲ２からＵＥに当初の送信において送信される。パケットＰＫＴ３ｄの冗長度バージョンＲｅＶ１は、（リソース群８０１を使用することにより、）送信点ＴＰ１の層ＬＲ１から、かつ、（リソース群８１６を使用することにより、）送信点ＴＰ４の層ＬＲ２からＵＥに第１の再送信において送信される。次いで、パケットＰＫＴ３ｄの冗長度バージョンＲｅＶ２が、（リソース群８０８を使用することにより、）送信点ＴＰ３の層ＬＲ１から、かつ、（リソース群８０５を使用することにより、）送信点ＴＰ１の層ＬＲ２から、ＵＥに、第２の再送信において送信される。ＵＥはパケットＰＫＴ３ｄを第２の再送信前に回復することができないからである。
【００４１】
したがって、上記例証によれば、パケットの冗長度バージョンの送信（例えば、再送信）は、別々の送信点の組、及び／又は別々の層の組を介して行われる。ダイバーシチは、より少ない再送信でパケットを回復することが可能であるように再送信について実現可能である。その結果、ＵＥのスループットが向上する。更に、パケットが送信点の組の層からＵＥに同じ送信（例えば、再送信）で送信されるので、ＵＥのスループットが更に向上する。
【００４２】
一方、パケットの別々の冗長度バージョンは、パケットを回復するために送信点の複数の層からＵＥに送信することが可能であり、別々の送信点は、別々の送信においてパケットを送信するために使用される。例えば、本発明による、別々の送信点の複数の層を介したパケットの再送信の概略図である図９を参照されたい。図９では、パケットの当初の送信、又は再送信を行うためにＵＥに割り当てられるリソース群は、色を塗った正方形で表され、他のＵＥに割り当てられているか、又は使用されているものでないリソース群は、空白の正方形で表される。
【００４３】
詳細には、ＵＥは、送信点ＴＰ１、ＴＰ３、及びＴＰ４からパケットＰＫＴ１ｅ乃至ＰＫＴ３ｅを受信するよう準備する。更に、送信点ＴＰ１、ＴＰ３、及びＴＰ４はそれぞれ、より多くのリソース群（すなわち、リソース群９００乃至９１７）を使用することにより、パケットＰＫＴ１ｅ乃至ＰＫＴ３ｅを送信することが可能であるように、２つの層（すなわち、少なくとも２つの送信アンテナ）ＬＲ１及びＬＲ２を有する。好ましくは、リソース群の周波数指数（すなわち、サブキャリア指数）により、リソース群に、１対１の対応関係が仮定される。例えば、リソース群９００、９０３、９０６、９０９、９１２、及び９１５の周波数指数は同じであり、リソース群９０１、９０４、９０７、９１０、９１３、及び９１６の周波数指数は同じであり、リソース群９０２、９０５、９０８、９１１、９１４、及び９１７の周波数指数は同じである。図９におけるＨＡＲＱに漸進冗長度を仮定しているので、パケットＰＫＴ１ｅ乃至ＰＫＴ３ｅ毎に複数の冗長度バージョンが存在している。すなわち、パケットを回復するために再送信が必要な場合、パケットの別の冗長度バージョンを再送信において送信し得る。パケットＰＫＴ１ｅ乃至ＰＫＴ３ｅそれぞれの冗長度バ―ジョンの数が同じであることは要求されない。図９では、パケットＰＫＴ１ｅ乃至ＰＫＴ３ｅそれぞれの冗長度バージョンの数は４である。冗長度バージョンは、冗長度バージョンの数に応じてＲｅＶ０乃至ＲｅＶ３としてラベリングされている。
【００４４】
パケットＰＫＴ１ｅの送信がまず、以下のように説明される。パケットＰＫＴ１ｅの冗長度バージョンＲｅＶ０及びＲｅＶ１が、（リソース群９００を使用することにより、）送信点ＴＰ１の層ＬＲ１から、かつ、（リソース群９０３を使用することにより、）送信点ＴＰ１の層ＬＲ２から、ＵＥに、当初の送信において送信された後、ＵＥはパケットＰＫＴ１ｅを回復することができない。ＵＥは、（例えば、パケットＰＫＴ１ｅに対応するＮＡＣＫをフィードバックすることにより、）パケットＰＫＴ１ｅの第１の再送信を要求する。更に、パケットＰＫＴ１ｅの冗長度バージョンＲｅＶ１及びＲｅＶ２は、（リソース群９１３を使用することにより、）送信点ＴＰ４の層ＬＲ１から、かつ、（リソース群９１６を使用することにより、）送信点ＴＰ４の層ＬＲ２からＵＥに第１の再送信において送信される。すなわち、第１の再送信は、当初の送信を行う送信点とは別の送信点の層を介して行われる。第１の再送信後に、ＵＥがなおパケットＰＫＴ１ｅを回復することができない場合、パケットＰＫＴ１ｅの冗長度バージョンＲｅＶ２及びＲｅＶ３が、（リソース群９０８を使用することにより、）送信点ＴＰ３の層ＬＲ１から、かつ、（リソース群９１１を使用することにより、）送信点ＴＰ３の層ＬＲ２から、ＵＥに、第２の再送信において送信される。（例えば、第２の再送信後、）ＵＥがパケットＰＫＴ１ｅを回復することが可能になるまで、又は、最大数の再送信に達するまで、上記記述を動作させる。
【００４５】
同様に、パケットＰＫＴ２ｅの冗長度バージョンＲｅＶ０及びＲｅＶ１は、（リソース群９０６を使用することにより、）送信点ＴＰ３の層ＬＲ１から、かつ、（リソース群９０９を使用することにより、）送信点ＴＰ３の層ＬＲ２からＵＥに当初の送信において送信される。パケットＰＫＴ２ｅの冗長度バージョンＲｅＶ１及びＲｅＶ２は、（リソース群９０１を使用することにより、）送信点ＴＰ１の層ＬＲ１から、かつ、（リソース群９０４を使用することにより、）送信点ＴＰ１の層ＬＲ２からＵＥに第１の再送信において送信される。次いで、パケットＰＫＴ２ｅの冗長度バージョンＲｅＶ２及びＲｅＶ３が、（リソース群９１４を使用することにより、）送信点ＴＰ４の層ＬＲ１から、かつ、（リソース群９１７を使用することにより、）送信点ＴＰ４の層ＬＲ２から、ＵＥに、第２の再送信において送信される。ＵＥはパケットＰＫＴ２ｅを第２の再送信前に回復することができないからである。
【００４６】
更に、パケットＰＫＴ３ｅの冗長度バージョンＲｅＶ０及びＲｅｖ１は、（リソース群９１２を使用することにより、）送信点ＴＰ４の層ＬＲ１から、かつ、（リソース群９１５を使用することにより、）送信点ＴＰ４の層ＬＲ２からＵＥに当初の送信において送信される。パケットＰＫＴ３ｅの冗長度バージョンＲｅＶ１及びＲｅＶ２は、（リソース群９０７を使用することにより、）送信点ＴＰ３の層ＬＲ１から、かつ、（リソース群９１０を使用することにより、）送信点ＴＰ３の層ＬＲ２からＵＥに第１の再送信において送信される。次いで、パケットＰＫＴ３ｅの冗長度バージョンＲｅＶ２及びＲｅＶ３が、（リソース群９０２を使用することにより、）送信点ＴＰ１の層ＬＲ１から、かつ、（リソース群９０５を使用することにより、）送信点ＴＰ１の層ＬＲ２から、ＵＥに、第２の再送信において送信される。ＵＥはパケットＰＫＴ３ｅを第２の再送信前に回復することができないからである。
【００４７】
したがって、上記例証によれば、パケットの冗長度バージョンの送信（例えば、再送信）は、別々の送信点それぞれを介して行われる。ダイバーシチは、より少ない再送信でパケットを回復することが可能であるように再送信について実現可能である。その結果、ＵＥのスループットが向上する。更に、パケットの別々の冗長度バージョンは更に、同じ送信（例えば、再送信）において送信点の層からＵＥに送信され、パケットの送信の数が更に削減される。
【００４８】
上記例において使用される送信点ＴＰ１、ＴＰ３、及びＴＰ４は、例証の目的のために過ぎない。実際に、パケットのＵＥへの送信に関係する送信点の数は３に限定されず、ＵＥへのパケットの送信に関係する送信点は、ＵＥの決定、ＵＥの場所、サービング・ポイント（すなわち、送信点ＴＰ１）の決定、送信点ＴＰ１乃至ＴＰ７間の協調に応じて判定（例えば、選択）し得るか、又は、ランダムに判定することができ、本明細書及び特許請求の範囲において制限されない。更に、送信点は、各送信（例えば、再送信）において、送信点を求める（例えば、変更する、選択する）ことは必要でない。例えば、ＵＥに対するパケットの送信における送信点は、選択された再送信においてのみ、変更され、再送信の残りでは変更されない。
【００４９】
更に、上述の図に使用されたリソース群は、リソースの概念としてみることが可能であり、特定の量のリソース又は特定のタイプのリソースに限定されるべきでない。例えば、リソース群は、単一のリソース・ブロック、又はリソース・ブロックの組を含み得、リソース・ブロックの組は、連続及び／又は非連続のリソース・ブロックを含み得る。更に、送信においてＵＥにそれぞれの送信点から送信されるパケットは、同じであるか、部分的に異なっているか、又は完全に異なっていることがあり得る。すなわち、パケット間の差は制限されない。例えば、図４をもう一度参照するに、パケットＰＫＴ１及びパケットＰＫＴ２は同じパケットであり得る。あるいは、パケットＰＫＴ１及びパケットＰＫＴ２はそれぞれ、２つのサブブロックを含み、パケットＰＫＴ１の第１のサブブロック及びパケットＰＫＴ２の第１のサブブロックは同じであり、パケットＰＫＴ１の第２のサブブロック及びパケットＰＫＴ２の第２のサブブロックは別のものである。あるいは、パケットＰＫＴ１及びパケットＰＫＴ２は完全に異なり得る。
【００５０】
当業者は、本発明による上述の実施例（例えば、図４乃至図９）に対して組み合わせ、修正、及び／又は改変を容易に行うはずである。示唆した工程を含む処理の上述の工程は、電子システム、ハードウェア装置上にリードオンリ・ソフトウェアとして常駐するデータ、コンピュータ命令及びハードウェア装置の組み合わせとして知られているファームウェア、ハ―ドウェアであり得る手段によって実現することが可能である。ハードウェアの例には、マイクロ回路、マイクロチップ、又はシリコン・チップとして知られている混成回路、アナログ回路、及びディジタル回路が含まれ得る。電子システムの例には、システム・オン・チップ（ＳＯＣ）、システム・イン・パッケージ（ＳｉＰ）、コンピュータ・オン・モジュール（ＣＯＭ）、及び通信装置２０が含まれ得る。
【００５１】
要約すれば、本発明は、別々の送信点を介して再送信を行う方法を提供する。本発明によれば、パケットの再送信は、別々の送信点を介して、かつ／又は、別々の層を介して行われる。ダイバーシチは、より少ない再送信でパケットを回復することが可能であるように再送信について実現可能である。その結果、ＵＥのスループットが向上する。更に、複数の層を有する送信点は、より多くのリソース群を提供することが可能であるので、より多くのパケットを単一の送信（例えば、再送信）において送信することが可能である。ＵＥのスループットを更に向上させることが可能である。
【図１】
2013027047.tif 000003
【図２】
2013027047.tif 000004
【図３】
2013027047.tif 000005
【図４】
2013027047.tif 000006
【図５】
2013027047.tif 000007
【図６】
2013027047.tif 000008
【図７】
2013027047.tif 000009
【図８】
2013027047.tif 000010
【図９】
2013027047.tif 000011